(57)【要約】【課題】定規、三角定規、および分度器は、いずれも作図や測定を主な用途としており、定規セットとしても販売されているが、まとめて管理することが難しくセットのうちの何点かを紛失させることも多いことから、まとめて管理することが容易な定規、三角定規、分度器を提供し、同時に、組み合わせることでより複雑な作図・測定を行うことのできる定規、三角定規、分度器を提供する。【解決手段】同一形状の円柱状とした突起部５７を定規５１部、三角定規５１部、分度器５１部の上面に有し、定規５１、三角定規５１、分度器５１は下方に開口する受孔を有して他の定規、三角定規、分度器の突起部５７を収納可能かつ狭持可能とした定規５１、三角定規５１、分度器５１の複数個を組み合わせる。【選択図】図１
2014080001.tif 000002
【特許請求の範囲】
【請求項１】
同一形状の円柱状とした突起部の複数個を数ｍｍの間隔を隔てて上面に有し、また下方に開口する複数の受孔を備え、他の定規、三角定規、分度器の突起部を挿入嵌合可能としたことを特徴とする定規。
【請求項２】
同一形状の円柱状とした突起部の複数個を数ｍｍの間隔を隔てて上面に有し、また下方に開口する複数の受孔を備え、他の定規、三角定規、分度器の突起部を挿入嵌合可能としたことを特徴とする三角定規。
【請求項３】
同一形状の円柱状とした突起部の複数個を数ｍｍの間隔を隔てて上面に有し、また下方に開口する複数の受孔を備え、他の定規、三角定規、分度器の突起部を挿入嵌合可能としたことを特徴とする分度器。
【請求項４】
円柱状とした単一の突起部を上面に有し、また下方に開口する複数の受孔を備え、他の定規、三角定規、分度器の突起部を挿入嵌合可能としたことを特徴とする定規。
【請求項５】
円柱状とした単一の突起部を上面に有し、また下方に開口する複数の受孔を備え、他の定規、三角定規、分度器の突起部を挿入嵌合可能としたことを特徴とする三角定規。
【請求項６】
円柱状とした単一の突起部を上面に有し、また下方に開口する複数の受孔を備え、他の定規、三角定規、分度器の突起部を挿入嵌合可能としたことを特徴とする分度器。
【請求項７】
円柱状の突起部を挟持可能な構造とした受孔を基台部の下方に有することを特徴とする請求項１乃至請求項６の何れかに記載の定規、三角定規、分度器。
【請求項８】
斜辺部および弧部の下方に空間を設けることで、他の定規、三角定規、および分度器との組合せを容易にし、かつ、この三角定規および分度器の斜辺部および弧部に沿って筆記具で線を引くことを容易としたことを特徴とする請求項１乃至請求項６の何れかに記載の三角定規、分度器。
【請求項９】
請求項１乃至請求項６の何れかに記載の定規、三角定規、分度器の複数個を組み合わせたことを特徴とする定規、三角定規、分度器。
【発明の詳細な説明】
【技術分野】
【０００１】本発明は、定規、三角定規、および分度器に関するものです。
【背景技術】
【０００２】今日、定規、三角定規、および分度器は、その用法の共通性から、定規セットとしてひとまとめに提供されている。【０００３】しかし、定規、三角定規、および分度器は、いずれもその薄い形状から紛失しやすく、セットのうちの何点かを紛失させてしまうことも多いため、セットとしてまとめて管理するのが難しかった。【０００４】そのため、これまでは、定規セットを収納できる専用の収納袋に定規、三角定規、および分度器を収納することで、定規セットをまとめて管理することを容易にしていた。
【先行技術文献】
【特許文献】
【０００５】
【特許文献１】特開平８−１５１０５３
【発明の概要】
【発明が解決しようとする課題】
【０００６】前述のように、定規、三角定規、および分度器は、その用法の共通性から、定規セットとしてひとまとめに管理できることが望ましいが、定規、三角定規、および分度器は、いずれもその薄い形状から紛失しやすく、セットのうちの何点かを紛失させてしまうことも多いため、セットとしてまとめて管理するのが難しいという欠点があった。【０００７】そこで、本発明は、定規、三角定規、および分度器に突起部と受孔を備え、各定規、三角定規、分度器の突起部を他の定規、三角定規、分度器の受孔に挿入嵌合して定規、三角定規、分度器相互を結合させることで、定規セットとしてひとまとめに管理しやすい定規、三角定規、および分度器を提供するものです。
【課題を解決するための手段】
【０００８】本発明に係る定規、三角定規、および分度器は、同一形状の円柱状とした突起部５７を基台部上面５２に有し、また下方に開口する複数の受孔５８を備え、他の定規、三角定規、分度器の突起部５７を挿入嵌合可能とした定規、三角定規、分度器の複数個を組み合わせるものです。【０００９】そして、この定規、三角定規、および分度器における各突起部５７の高さは、定規、三角定規、および分度器の基台部５１の高さよりも小さい値とし、また、直径の値は、隣接する突起部５７の中心相互間の間隔の値よりも小さな値とするものです。【００１０】又、この定規、三角定規、および分度器は、基台部５１の上面５２に設けられる突起部５７の個数が異なる定規、三角定規、および分度器を組み合わせるものです。【００１１】更に、この定規、三角定規、および分度器は、他の定規、三角定規、および分度器の円柱状の突起部５７を挟持可能な構造とした受孔５８を下方に有した定規、三角定規、および分度器を含むものです。【００１２】また、この三角定規および分度器は、斜辺部および弧部の下方に空間を設けることにより、他の定規、三角定規、および分度器との組合せを容易にし、かつ、この三角定規および分度器の斜辺部および弧部に沿って筆記具で線を引くことを容易とした三角定規、および分度器含むものです。
【発明の効果】
【００１３】本発明は、上面に円柱状とした突起部を有する定規、三角定規、および分度器を組み合わせる定規、三角定規、および分度器としているため、組み合わせることで定規セットとしてまとめて管理することを容易にするものであり、また、この定規、三角定規、および分度器の多数個を結合して複雑な形状に組み立てることができ、従来よりも複雑な作図を可能とするものです。【００１４】そして、円柱状の突起部は、その高さや直径が突起部の中心相互間距離よりも小さな同一形状であるため、定規、三角定規、および分度器の組合せとすることができるものです。【００１５】又、定規、三角定規、分度器それぞれの、斜辺を除く辺の長さを、円柱状突起の間隔の整数倍とするため、定規、三角定規、分度器それぞれの組合せを容易に行うことができるものです。【００１６】更に、円柱状の突起部を挟持可能な構造とした受孔を定規、三角定規、および分度器の下方に有することで、定規、三角定規、分度器それぞれの組合せを容易に行うことができるものです。【００１７】そして、三角定規および分度器の斜辺部および弧部の下方に空間を設けることで、他の定規、三角定規、および分度器との組合せを容易にし、かつ、この三角定規および分度器の斜辺部および弧部に沿って筆記具で線を引くことを容易とするものです。【００１８】又、単一の円柱状とした突起部を有する定規、三角定規、および分度器を組み合わせると、細部の形状修正を容易に行うことができることになる。
【図面の簡単な説明】
【００１９】
【図１】本発明に係る定規、三角定規、分度器と、それらを用いて組み立てた形象の一例を示す図。
【図２】本発明に係る定規の第１定規を示す図。
【図３】本発明に係る定規の第２定規を示す図。
【図４】本発明に係る三角定規の第１三角定規を示す図。
【図５】本発明に係る三角定規の第２三角定規を示す図。
【図６】本発明に係る分度器の第１分度器を示す図。
【図７】本発明に係る定規の第３定規を示す図。
【図８】本発明に係る三角定規の第３三角定規を示す図。
【図９】本発明に係る三角定規の第４三角定規を示す図。
【図１０】本発明に係る分度器の第２分度器を示す図。
【発明を実施するための形態】
【００２０】本発明に係る定規、三角定規、および分度器を実施する形態は、定規、三角定規、および分度器の上面に、複数個の円柱形状の突起部３７を５ｍｍなどの数ｍｍ間隔で備え、突起部５７の高さは１．５ｍｍなどの数ｍｍとした定規、三角定規、および分度器の複数個を組み合わせるものです。
【００２１】そして、それぞれの基台部５１は、その高さを３ｍｍ程度と前記の突起部５７の高さよりも大きい値としたものです。
【００２２】更に、この定規、三角定規、および分度器は、他の定規、三角定規、および分度器の円柱状の突起部を挟持可能な構造とした受孔５８を下方に備えるものです。
【００２３】また、この三角定規および分度器は、斜辺部および弧部の下方に空間を設ける構造とするものです。
【００２４】さらに、定規、三角定規、分度器それぞれの、斜辺を除く辺の長さを、円柱状突起５７の間隔の整数倍としたものです。
【００２５】更に、複数個の突起部５７を有する定規、三角定規、および分度器と、単一の突起部５７を有してこの突起部５７よりも僅かに大きな円柱形状又は角柱形状とする定規、三角定規、および分度器とを組み合わせるようにするものです。
【実施例】
【００２６】本発明に係る定規、三角定規、および分度器は、図２に示すように２８個の円柱状突起を二列に配置するように有する第１定規１１、図３に示すように４８個の円柱状突起を三列に配置するように有する第２定規１２、図４に示すように３７個の円柱状突起を縦横に配置するように有する第１三角定規２１、図５に示すように３６個の円柱状突起を縦横に配置するように有する第２三角定規２２、図６に示すように３３個の円柱状突起を縦横に配置するように有する第１分度器３１のように複数個の円柱状突起を立方体形状の本体の上面に有する定規、三角定規、分度器と、図７に示すように本体の上面に１個の円柱状突起を有する第３定規１３、図８に示すように本体の上面に１個の円柱状突起を有する第３三角定規２３、図９に示すように本体の上面に１個の円柱状突起を有する第４三角定規２４、図１０に示すように本体の上面に１個の円柱状突起を有する第２分度器３２とする、定規、三角定規、分度器を、図１に示すように組み合わせるものです。【００２７】この円柱状の突起である突起部５７は、全てが直径を約５ｍｍ、高さを約１．５ｍｍとする円柱形状であり、僅かなテーパーを有して先端を細く（先端外径５．００ｍｍ）するようにして基部を先端よりも僅かに太く（基部外径５．０２ｍｍ）し、本体である基台部５１の上面を形成する基台上面板５２から突出するように形成され、複数個の円柱状突起を立方体形状の本体の上面に有する定規、三角定規、分度器においては、突起部５７相互の中心間距離を１０．００ｍｍとしているものです。【００２８】又、第１定規１１は、図２（Ａ）に示すように、長方形の基台上面板５２から２８個の突起部５７が突出するように設けられており、この２８個の突起部５７は、縦横両方向において相互に隣接する突起部５７の中心相互間の距離を１０．００ｍｍとするものです。【００２９】そして、基台部５１は、その高さを突起部５７の高さよりも大きい３．００ｍｍとし、長辺の長さを突起部５７の中心相互間の距離の１４倍よりも極めて僅かに小さい１３９．９０ｍｍ、短辺の長さを突起部５７の中心相互間の距離の２倍にほぼ等しく且つ極めて僅かに小さい１９．９０ｍｍとする直方体形状であって、図２（Ｂ）（Ｃ）に示すように、基台部５１及び突起部５７の肉厚を約０．５ｍｍ〜２．５ｍｍとして基台部５１及び突起部５７の内部を中空として基台部５１の下面を開口しているものです。【００３０】更に、基台上面板５２の四辺から垂下する基台側壁板５３により囲まれた基台部５１の内部空間は、高さを２．００ｍｍ、長辺の長さを１３５．００ｍｍ、短辺の長さを１５．００ｍｍとし、図２（Ｂ）に示すように、この内部空間には基台上面板５２の下面から数列に交差する補助壁５４を垂下させるものであって、この補助壁５４は、横方向に対称とされ、一辺の長さが５．００ｍｍの正方形の受孔５８を網目状に構成するものです。【００３１】又、第２定規１２は、図３（Ａ）に示すように、三列に配置された４８個の突起部５７が突出するように設けられており、この突起部５７は第１定規１１の突起部５７と同一形状で同一の大きさとされた僅かにテーパーを有する円柱形状であって、この４８個の突起部５７は、相互に隣接する突起部５７の中心相互間の距離を１０．００ｍｍとするものです。【００３２】そして、基台部５１は、その高さを突起部５７の高さよりも大きい３．００ｍｍとし、長辺の長さを突起部５７の中心相互間の距離の１６倍よりも極めて僅かに小さい１５９．９０ｍｍ、短辺の長さを突起部５７の中心相互間の距離の３倍にほぼ等しく且つ極めて僅かに小さい２９．９０ｍｍとする直方体形状であって、図３（Ｂ）（Ｃ）に示すように、基台部５１及び突起部５７の肉厚を約０．５ｍｍ〜２．５ｍｍとして基台部５１及び突起部５７の内部を中空として基台部５１の下面を開口しているものです。【００３３】更に、基台上面板５２の四辺から垂下する基台側壁板５３により囲まれた基台部５１の内部空間は、高さを２．００ｍｍ、長辺の長さを１５５．００ｍｍ、短辺の長さを２５．００ｍｍとし、図３（Ｂ）に示すように、この内部空間には基台上面板５２の下面から網状に交差する補助壁５４を垂下させるものであって、この補助壁５４は、横方向に対称とされ、一辺の長さが５．００ｍｍの正方形の受孔５８を網目状に構成するものです。【００３４】又、第１三角定規２１は、図４（Ａ）に示すように、六列に配置された３７個の突起部５７が突出するように設けられており、この突起部５７は第１定規１１の突起部５７と同一形状で同一の大きさとされた僅かにテーパーを有する円柱形状であって、この３７個の突起部５７は、相互に隣接する突起部５７の中心相互間の距離を１０．００ｍｍとするものです。【００３５】そして、基台部５１は、その高さを突起部５７の高さよりも大きい３．００ｍｍとし、直角を構成する二辺のうち、長辺の長さを突起部５７の中心相互間の距離の１２倍よりも極めて僅かに小さい１１９．９０ｍｍ、短辺の長さを突起部５７の中心相互間の距離の７倍にほぼ等しく且つ極めて僅かに小さい６９．９０ｍｍとする三角柱形状であって、図４（Ｂ）に示すように、基台部５１及び突起部５７の肉厚を約０．５ｍｍ〜２．５ｍｍとして基台部５１及び突起部５７の内部を中空として基台部５１の下面を開口しているものです。【００３６】更に、基台上面板５２の直角を構成する二辺から垂下する基台側壁板５３により囲まれた基台部５１の内部空間は、高さを２．００ｍｍ、直角を構成する二辺のうち、長辺の長さを１１５．００ｍｍ、短辺の長さを６５．００ｍｍとし、図４（Ｂ）に示すように、この内部空間には基台上面板５２の下面から網状に交差する補助壁５４を垂下させるものであって、この補助壁５４は、一辺の長さが５．００ｍｍの正方形の受孔５８を網目状に構成するものです。【００３７】又、第２三角定規２２は、図５（Ａ）に示すように、八列に配置された３６個の突起部５７が突出するように設けられており、この突起部５７は第１定規１１の突起部５７と同一形状で同一の大きさとされた僅かにテーパーを有する円柱形状であって、この３６個の突起部５７は、相互に隣接する突起部５７の中心相互間の距離を１０．００ｍｍとするものです。【００３８】そして、基台部５１は、その高さを突起部５７の高さよりも大きい３．００ｍｍとし、直角を構成する二辺の長さを突起部５７の中心相互間の距離の９倍よりも極めて僅かに小さい８９．９０ｍｍとする三角柱形状であって、図５（Ｂ）に示すように、基台部５１及び突起部５７の肉厚を約０．５ｍｍ〜２．５ｍｍとして基台部５１及び突起部５７の内部を中空として基台部５１の下面を開口しているものです。【００３９】更に、基台上面板５２の直角を構成する二辺から垂下する基台側壁板５３により囲まれた基台部５１の内部空間は、高さを２．００ｍｍ、直角を構成する二辺の長さを８５．００ｍｍとし、図５（Ｂ）に示すように、この内部空間には基台上面板５２の下面から網状に交差する補助壁５４を垂下させるものであって、この補助壁５４は、一辺の長さが５．００ｍｍの正方形の受孔５８を網目状に構成するものです。【００４０】又、第１分度器３１は、図６（Ａ）に示すように、九列に配置された３３個の突起部５７が突出するように設けられており、この突起部５７は第１定規１１の突起部５７と同一形状で同一の大きさとされた僅かにテーパーを有する円柱形状であって、この３６個の突起部５７は、相互に隣接する突起部５７の中心相互間の距離を１０．００ｍｍとするものです。【００４１】そして、基台部５１は、その高さを突起部５７の高さよりも大きい３．００ｍｍとし、弦部の長さを突起部５７の中心相互間の距離の９倍よりも極めて僅かに小さい８９．９０ｍｍとする半円柱状の形状であって、図６（Ｂ）に示すように、基台部５１及び突起部５７の肉厚を約０．５ｍｍ〜２．５ｍｍとして基台部５１及び突起部５７の内部を中空として基台部５１の下面を開口しているものです。【００４２】更に、基台上面板５２の弦部から基台側壁板５３が垂下し、また、図６（Ｂ）に示すように、基台上面板５２の下面から網状に交差する補助壁５４を垂下させるものであって、この補助壁５４は、一辺の長さが５．００ｍｍの正方形の受孔５８を網目状に構成するものです。【００４３】又、第３定規１３は、図７（Ａ）に示すように、１個の突起部５７が突出するように設けられており、この突起部５７は第１定規１１の突起部５７と同一形状で同一の大きさとされた僅かにテーパーを有する円柱形状とするものです。【００４４】そして、基台部５１は、その高さを突起部５７の高さよりも大きい３．００ｍｍとし、長辺の長さを突起部５７の中心相互間の距離の１４倍よりも極めて僅かに小さい１３９．９０ｍｍ、短辺の長さを突起部５７の中心相互間の距離の２倍にほぼ等しく且つ極めて僅かに小さい１９．９０ｍｍとする直方体形状であって、図７（Ｂ）（Ｃ）に示すように、基台部５１及び突起部５７の肉厚を約０．５ｍｍ〜２．５ｍｍとして基台部５１の内部を中空として基台部５１の下面を開口しているものです。【００４５】更に、基台上面板５２の四辺から垂下する基台側壁板５３により囲まれた基台部５１の内部空間は、高さを２．００ｍｍ、長辺の長さを１３５．００ｍｍ、短辺の長さを１５．００ｍｍとし、図７（Ｂ）に示すように、この内部空間には基台上面板５２の下面から数列に交差する補助壁５４を垂下させるものであって、この補助壁５４は、横方向に対称とされ、一辺の長さが５．００ｍｍの正方形の受孔５８を網目状に構成するものです。【００４６】又、第３三角定規２３は、図８（Ａ）に示すように、１個の突起部５７が突出するように設けられており、この突起部５７は第１定規１１の突起部５７と同一形状で同一の大きさとされた僅かにテーパーを有する円柱形状とするものです。【００４７】そして、基台部５１は、その高さを突起部５７の高さよりも大きい３．００ｍｍとし、直角を構成する二辺のうち、長辺の長さを突起部５７の中心相互間の距離の１２倍よりも極めて僅かに小さい１１９．９０ｍｍ、短辺の長さを突起部５７の中心相互間の距離の７倍にほぼ等しく且つ極めて僅かに小さい６９．９０ｍｍとする三角柱形状であって、図８（Ｂ）に示すように、基台部５１及び突起部５７の肉厚を約０．５ｍｍ〜２．５ｍｍとして基台部５１の内部を中空として基台部５１の下面を開口しているものです。【００４８】更に、基台上面板５２の直角を構成する二辺から垂下する基台側壁板５３により囲まれた基台部５１の内部空間は、高さを２．００ｍｍ、直角を構成する二辺のうち、長辺の長さを１１５．００ｍｍ、短辺の長さを６５．００ｍｍとし、図８（Ｂ）に示すように、この内部空間には基台上面板５２の下面から網状に交差する補助壁５４を垂下させるものであって、この補助壁５４は、一辺の長さが５．００ｍｍの正方形の受孔５８を網目状に構成するものです。【００４９】又、第４角定規２４は、図９（Ａ）に示すように、１個の突起部５７が突出するように設けられており、この突起部５７は第１定規１１の突起部５７と同一形状で同一の大きさとされた僅かにテーパーを有する円柱形状とするものです。【００５０】そして、基台部５１は、その高さを突起部５７の高さよりも大きい３．００ｍｍとし、直角を構成する二辺の長さを突起部５７の中心相互間の距離の９倍よりも極めて僅かに小さい８９．９０ｍｍとする三角柱形状であって、図９（Ｂ）に示すように、基台部５１及び突起部５７の肉厚を約０．５ｍｍ〜２．５ｍｍとして基台部５１の内部を中空として基台部５１の下面を開口しているものです。【００５１】更に、基台上面板５２の直角を構成する二辺から垂下する基台側壁板５３により囲まれた基台部５１の内部空間は、高さを２．００ｍｍ、直角を構成する二辺の長さを８５．００ｍｍとし、図９（Ｂ）に示すように、この内部空間には基台上面板５２の下面から網状に交差する補助壁５４を垂下させるものであって、この補助壁５４は、一辺の長さが５．００ｍｍの正方形の受孔５８を網目状に構成するものです。【００５２】又、第２分度器３２は、図１０（Ａ）に示すように、１個の突起部５７が突出するように設けられており、この突起部５７は第１定規１１の突起部５７と同一形状で同一の大きさとされた僅かにテーパーを有する円柱形状とするものです。【００５３】そして、基台部５１は、その高さを突起部５７の高さよりも大きい３．００ｍｍとし、弦部の長さを突起部５７の中心相互間の距離の９倍よりも極めて僅かに小さい８９．９０ｍｍとする半円柱状の形状であって、図１０（Ｂ）に示すように、基台部５１及び突起部５７の肉厚を約０．５ｍｍ〜２．５ｍｍとして基台部５１の内部を中空として基台部５１の下面を開口しているものです。【００５４】更に、基台上面板５２の弦部から基台側壁板５３が垂下し、また、図１０（Ｂ）に示すように、基台上面板５２の下面から網状に交差する補助壁５４を垂下させるものであって、この補助壁５４は、一辺の長さが５．００ｍｍの正方形の受孔５８を網目状に構成するものです。【００５５】また、第１三角定規２１第２三角定規２２、第１分度器３１、第３三角定規２３、第４三角定規２４、第２分度器３２は、斜辺部および弧部を有することから、他の定規、三角定規、および分度器との組合せを容易にし、かつ、この三角定規および分度器の斜辺部および弧部に沿って筆記具で線を引くことを容易とするため、図６（Ｂ）および図１０（Ｂ）において例示しているように、斜辺部および弧部の下方に空間を設ける構造とするものです。【００５６】このように、本実施例に係る定規、三角定規、分度器の各ブロックは、基本的間隔単位を１０．０ｍｍとし、突起部５７はその高さを約１．５ｍｍ程度とすると共に直径を約５．０ｍｍとして基本的間隔単位よりも小さくし、又、基台部５１の高さを約３ｍｍとして直方体形状の基台部５１の上面に複数個の突起部５７を有して基台部５１の縦横の幅を基本的間隔単位の１倍を含むほぼ整数倍とし、更に基台部５１は下面に開口する中空部を有して基台側壁板５３と補助壁５４により中空部に挿入される他の定規、三角定規、分度器の突起部５７を挟持可能とするものです。【００５７】又、突起部５７は、その直径を約５．０ｍｍとして全て同一としつつ、突起部５７の先端を突起部５７の基部よりも極めて僅かに細くしてテーパーを設けているため、他の定規、三角定規、分度器における基台部５１の内部空間への挿入を容易としつつ、基台部側壁板５３などにより確実に挟持させることができるものです。【００５８】以上により、上面の突起部５７を有する定規、三角定規、および分度器を組み合わせることで、定規セットとしてまとめて管理することが容易となり、また、この定規、三角定規、および分度器の多数個を結合して複雑な形状に組み立てることができることから、従来よりも複雑な作図が可能となるものです。
【符号の説明】
【００５９】１１  第１定規  １２  第２定規
１３  第３定規
２１  第１三角定規  ２２  第２三角定規
２３  第３三角定規  ２４  第４三角定規
３１  第１分度器  ３２  第２分度器
５１  基台部  ５２  基台上面板
５３  基台側壁板  ５４  補助壁
５７  突起部  ５８  受孔
【図１】
2014080001.tif 000003
【図２】
2014080001.tif 000004
【図３】
2014080001.tif 000005
【図４】
2014080001.tif 000006
【図５】
2014080001.tif 000007
【図６】
2014080001.tif 000008
【図７】
2014080001.tif 000009
【図８】
2014080001.tif 000010
【図９】
2014080001.tif 000011
【図１０】
2014080001.tif 000012